(57)【要約】      （修正有）【課題】低周波治療機能を具えたマウスを提供する。【解決手段】コンピュータ用マウスの形状を有し、マウス装置と低周波電気治療装置が結合されてなり、該マウス装置と低周波治療装置が共用ケーシングに設置され、共用ケーシングの表面に第１導電エリア４１と第２導電エリア４２が設けられて、使用者がマウスを使用する時に低周波治療の機能を使用できるよう形成されている。【選択図】図１
2006289047.tif 000002
【特許請求の範囲】
【請求項１】
低周波治療機能を具えたマウスであって、該マウスはコンピュータと電気的に接続され、
マウス装置と、
第１出力電極と第２出力電極を包含する低周波治療装置と、
該マウス装置と該低周波治療装置を収容する共用ケーシングと、
を包含したことを特徴とする、低周波治療機能を具えたマウス。
【請求項２】
請求項１記載の低周波治療機能を具えたマウスにおいて、共用ケーシングが掌握持エリアを包含し、第１出力電極が該掌握持エリアに位置することを特徴とする、低周波治療機能を具えたマウス。
【請求項３】
請求項１記載の低周波治療機能を具えたマウスにおいて、共用ケーシングが更に第１導電エリアと第２導電エリアを包含し、第１出力電極と第２出力電極がそれぞれ第１導電エリアと第２導電エリアに接続されたことを特徴とする、低周波治療機能を具えたマウス。
【請求項４】
請求項３記載の低周波治療機能を具えたマウスにおいて、共用ケーシングが掌握持エリアを包含し、第１導電エリアが該掌握持エリアに位置することを特徴とする、低周波治療機能を具えたマウス。
【請求項５】
請求項４記載の低周波治療機能を具えたマウスにおいて、第２導電エリアが掌握持エリアに位置することを特徴とする、低周波治療機能を具えたマウス。
【請求項６】
請求項１記載の低周波治療機能を具えたマウスにおいて、第１出力電極の位置を変換可能であることを特徴とする、低周波治療機能を具えたマウス。
【請求項７】
請求項３記載の低周波治療機能を具えたマウスにおいて、第１導電エリアの位置を変換可能であることを特徴とする、低周波治療機能を具えたマウス。
【発明の詳細な説明】
【技術分野】
【０００１】
本発明は低周波治療機能を具えたマウスに関する。
【背景技術】
【０００２】
コンピュータ使用者は長時間マウスを使用する時、腱鞘炎を発生しやすく、腱鞘炎を防止する対策が必要である。特許文献１には振動マッサージ装置を取り付けたマウスが記載され、使用者は振動マッサージ装置を使用して手部或いはその他の部分をマッサージできる。しかし、この装置は使用者がマウス機能を使用する時に振動マッサージ機能を同時に使用することはできない。なぜならマウス機能は振動状態では使用しにくいからである。このためその他の腱鞘炎防止の対策が必要となる。
【０００３】
なお、周知の低周波治療装置の回路については多種類があるが、例えば特許文献２〜４に記載のものがある。
【０００４】
【特許文献１】米国特許第６、３２３、８４１号明細書
【特許文献２】米国特許第４、５９８、７１３号明細書
【特許文献３】米国特許第４、２１０、１５１号明細書
【特許文献４】米国特許第３、８１７、２５４号明細書
【発明の開示】
【発明が解決しようとする課題】
【０００５】
本発明の主要な目的は、コンピュータ使用者がマウスを使用している時に低周波治療装置の機能を使用できる、低周波治療機能を具えたマウスを提供することにある。
【０００６】
本発明の別の目的は、コンピュータ使用者がマウスを使用する時に、腱鞘炎の発生を減らし、使用者が既に腱鞘炎を有している場合は、現在の漢方医学の研究に基づきそれを改善できる、低周波治療機能を具えたマウスを提供することにある。
【０００７】
上述の目的を達成するため、本発明は一種の低周波治療機能を具えたマウスを提供し、それは、コンピュータ用マウスの形状を有し、マウス装置と低周波電気治療装置が結合されてなり、該マウス装置と低周波治療装置が共用ケーシングに設置され、共用ケーシングの表面に第１導電エリアと第２導電エリアが設けられている。
【０００８】
低周波治療装置の第１出力電極と第２出力電極はそれぞれ第１導電エリアと第２導電エリアに接続され、使用者が掌でマウスを握持する時、掌が第１導電エリアと第２導電エリアに接触する。実施例によると、掌中央のツボ（労宮穴）は重要なツボ（漢方医学の研究によると、労宮穴を刺激することで腱鞘炎の発生を減らせると共に、肩こりなどの症状を改善できる）であり、このため第１導電エリアと第２導電エリアの位置は掌中心に接触する位置とされるのがよい。
【課題を解決するための手段】
【０００９】
請求項１の発明は、低周波治療機能を具えたマウスであって、該マウスはコンピュータと電気的に接続され、
マウス装置と、
第１出力電極と第２出力電極を包含する低周波治療装置と、
該マウス装置と該低周波治療装置を収容する共用ケーシングと、
を包含したことを特徴とする、低周波治療機能を具えたマウスとしている。
請求項２の発明は、請求項１記載の低周波治療機能を具えたマウスにおいて、共用ケーシングが掌握持エリアを包含し、第１出力電極が該掌握持エリアに位置することを特徴とする、低周波治療機能を具えたマウスとしている。
請求項３の発明は、請求項１記載の低周波治療機能を具えたマウスにおいて、共用ケーシングが更に第１導電エリアと第２導電エリアを包含し、第１出力電極と第２出力電極がそれぞれ第１導電エリアと第２導電エリアに接続されたことを特徴とする、低周波治療機能を具えたマウスとしている。
請求項４の発明は、請求項３記載の低周波治療機能を具えたマウスにおいて、共用ケーシングが掌握持エリアを包含し、第１導電エリアが該掌握持エリアに位置することを特徴とする、低周波治療機能を具えたマウスとしている。
請求項５の発明は、請求項４記載の低周波治療機能を具えたマウスにおいて、第２導電エリアが掌握持エリアに位置することを特徴とする、低周波治療機能を具えたマウスとしている。
請求項６の発明は、請求項１記載の低周波治療機能を具えたマウスにおいて、第１出力電極の位置を変換可能であることを特徴とする、低周波治療機能を具えたマウスとしている。
請求項７の発明は、請求項３記載の低周波治療機能を具えたマウスにおいて、第１導電エリアの位置を変換可能であることを特徴とする、低周波治療機能を具えたマウスとしている。
【発明の効果】
【００１０】
本発明は目的、手段、効果のいずれにおいても周知の技術の特徴とは異なっている。本発明は、コンピュータ使用者がマウスを使用している時に低周波治療装置の機能を使用できる、低周波治療機能を具えたマウスを提供している。
【発明を実施するための最良の形態】
【００１１】
図１〜図２は本発明の第１実施例を示す。低周波治療機能を具えたマウス１０の形状は一般のコンピュータ用マウスの形状である。低周波治療機能を具えたマウス１０はマウス装置２０と低周波治療装置３０を包含する。
【００１２】
マウス装置２０は伝送線１１でコンピュータ９０と接合され、第１実施例ではＵＳＢコネクタ１２が採用され、ＵＳＢ規格の特性により、コンピュータ９０が電力を低周波治療装置３０に供給できる。マウス装置２０はマウス機能を達成するための機械装置（例えばボタン２１）と電子装置２２（マウスの基本回路であり、ＵＳＢ伝送規格を採用する場合はＵＳＢ制御回路を包含する）を包含する。マウス装置２０は公知の技術であるため、説明を省略する。注意すべきことは、マウス装置２０はボール式マウス装置或いは光学式マウス装置とされうることである。
【００１３】
低周波治療装置３０（Ｔ．Ｅ．Ｎ．Ｓ；Ｔｒａｎｓｃｕｔａｎｅｏｕｓ  Ｅｌｅｃｔｒｏ  Ｎｅｒｖｅ  Ｓｔｉｍｕｌａｔｏｒ）は低周波パルスを出力して神経（或いはツボ）を刺激する。低周波治療装置３０の回路３５は基本的に、波形ジェネレータと二つの出力電極（ｏｕｔｐｕｔ  ｅｌｅｃｔｒｏｄｅｓ）を具え、低周波治療装置３０の回路３５の設計には多種類があるが、出力電極の出力の波形、周波数、電圧及び電流の大きさを制御するものとされ、低周波治療装置３０は公知の技術であるため、詳しい説明は省略する。回路３５の設計については、例えば特許文献２、３、４等に記載されている。
【００１４】
マウス装置と低周波治療装置３０は共用ケーシング４０に設置され、ここで述べる共用ケーシング４０は複数のケーシングで構成されうる。共用ケーシング４０は掌握持エリア４５（図３〜図４の点線範囲も参照されたい）を包含し、該掌握持エリア４５は使用者の掌９５が握持するエリアであり、また即ち掌握持エリア４５は低周波治療機能を具えたマウス１０の後端位置とされる。本実施例では、共用ケーシング４０の表面に第１導電エリア４１と第２導電エリア４２が設けられている。第１導電エリア４１及び第２導電エリア４２は導電材料（例えば金属材料）が共用ケーシング４０の表面にコーティングされてなり、低周波治療装置３０の第１出力電極３１及び第２出力電極３２がそれぞれ第１導電エリア４１と第２導電エリア４２に接続されている。
【００１５】
第１導電エリア４１及び第２導電エリア４２の位置で最も好ましいのは非常に容易に使用者に接触される位置であり、これにより第１導電エリア４１と第２導電エリア４２は掌握持エリア４５に位置するのがよい。
【００１６】
第１導電エリア４１／第１出力電極３１は掌握持エリア４５に位置するのがよいだけでなく、使用者の掌９５がマウス１０を握持する時に、掌中心のツボである労宮穴９６が第１導電エリア４１／第１出力電極３１に接触できる位置がよく、図３に示されるようである（労宮穴はツボの一つであり、漢方医学中、人体中には多くの医療効果を有するツボがあり、通常は鍼灸でツボ刺激を行う。現代医学でもツボの存在は照明されている。）。
【００１７】
以上の実施例は本発明の範囲を限定するものではなく、本発明に基づきなしうる細部の修飾或いは改変は、いずれも本発明の権利請求範囲に属するものとする。例えば、低周波治療装置の出力モード、例えば波形、周波数、電圧及び電流の大きさをいずれも改変可能とすることができ、これにより操作ボタンを増設し、更に小ディスプレイを共用ケーシングに増設して操作表示インタフェースとなすか、コンピュータにソフトウェアプログラムを付設し（或いはインターネットを通して操作し）、使用者がソフトウェアプログラムを操作することで異なる出力モードを選択できるようにするか、コンピュータを通して低周波治療装置の出力モードを制御できるようにし、特にマウスに入出力インタフェース（例えばＵＳＢコネクタ）を設けてコンピュータと接続する時、コンピュータが制御信号を低周波治療装置に伝送するものとできる。
【図面の簡単な説明】
【００１８】
【図１】本発明の低周波治療機能を具えたマウスの第１実施例の立体図である。
【図２】本発明の低周波治療機能を具えたマウスの第１実施例の断面図である。
【図３】掌の労宮穴位置表示図である。
【図４】本発明の低周波治療機能を具えたマウスの第２実施例の立体図である。
【図５】本発明の低周波治療機能を具えたマウスの第４実施例の立体図である。
【符号の説明】
【００１９】
１０  マウス
１１  伝送線                １２  ＵＳＢコネクタ
２０  マウス装置            ２１  ボタン
２２  電子装置              ３０  低周波治療装置
３１  第１出力電極          ３２  第２出力電極
３５  回路                  ３９  スイッチ
４０  共用ケーシング
４１  第１導電エリア        ４２  第２導電エリア
４５  掌握持エリア          ４６  軌道
４７  スライドブロック      ９０  コンピュータ
９５  掌                    ８６  労宮穴
【図１】
2006289047.tif 000003
【図２】
2006289047.tif 000004
【図３】
2006289047.tif 000005
【図４】
2006289047.tif 000006
【図５】
2006289047.tif 000007